【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
物体側から像側へ順に、変倍のためには移動しない正の屈折力の第１レンズ群と、変倍のために移動する負の屈折力の第２レンズ群と、変倍のために移動する正の屈折力の第３レンズ群と、最も像側に配されて変倍のためには移動しない正の屈折力の第Ｒレンズ群とを有し、隣り合うレンズ群の組のいずれも変倍のために間隔が変化するズームレンズであって、
前記第Ｒレンズ群中の物体側から第ｉ番目のレンズにおける近軸追跡上の軸上光束高さをｈｉとし、瞳近軸光束高さをｈｂｉとして、前記第Ｒレンズ群は、
ｈｂｉ／ｈｉ＜０．１５
なる条件式を満足する面を含む第Ｒ１サブレンズ群と、それ以外の第Ｒ２サブレンズ群とから構成され、
前記第Ｒ１サブレンズ群は、正レンズＬ１ｐと負レンズＬ１ｎとを含み、前記正レンズＬ１ｐの部分分散比およびアッべ数をそれぞれθＲ１ｐおよびνＲ１ｐとし、前記負レンズＬ１ｎの部分分散比およびアッべ数をそれぞれθＲ１ｎおよびνＲ１ｎとして、
０．７５×１０−３＜（θＲ１ｐ−θＲ１ｎ）
／（νＲ１ｎ−νＲ１ｐ）＜２．６０×１０−３
なる条件式を満足し、
前記第Ｒ２サブレンズ群は、正レンズＬ２ｐを含み、前記第Ｒレンズ群の焦点距離をｆＲとし、前記正レンズＬ２ｐの部分分散比およびアッべ数をそれぞれθＲ２ｐおよびνＲ２ｐとして、
０．６２１＜θＲ２ｐ＜０．７１１
０．７＜ｆＲ２ｐ／ｆＲ＜２．１
なる条件式を満足し、
前記第Ｒレンズ群に含まれる正レンズの部分分散比の平均値およびアッべ数の平均値をそれぞれθａｐおよびνａｐとし、前記第Ｒレンズ群に含まれる負レンズの部分分散比の平均値およびアッべ数の平均値をそれぞれθａｎおよびνａｎとして、
｜（θａｐ−θａｎ）／（νａｎ−νａｐ）｜＜１．９０×１０−３
なる条件式を満足する、
ことを特徴とするズームレンズ。
ただし、アッベ数νおよび部分分散比θは、フラウンフォーファ線のｇ線（４３５．８ｎｍ）、Ｆ線（４８６．１ｎｍ）、ｄ線（５８７．６ｎｍ）、およびＣ線（６５６．３ｎｍ）に対する屈折率をそれぞれＮｇ、ＮＦ、Ｎｄ、およびＮＣとして、
ν＝（Ｎｄ−１）／（ＮＦ−ＮＣ）
θ＝（Ｎｇ−ＮＦ）／（ＮＦ−ＮＣ）
なる式で表されるものとする。
【請求項２】
物体側から像側へ順に、変倍のためには移動しない正の屈折力の第１レンズ群と、変倍のために移動する負の屈折力の第２レンズ群と、変倍のために移動する負の屈折力の第３レンズ群と、最も像側に配されて変倍のためには移動しない正の屈折力の第Ｒレンズ群とを有し、隣り合うレンズ群の組のいずれも変倍のために間隔が変化するズームレンズであって、
前記第Ｒレンズ群中の物体側から第ｉ番目のレンズにおける近軸追跡上の軸上光束高さをｈｉとし、瞳近軸光束高さをｈｂｉとして、前記第Ｒレンズ群は、
ｈｂｉ／ｈｉ＜０．１５
なる条件式を満足する面を含む第Ｒ１サブレンズ群と、それ以外の第Ｒ２サブレンズ群とから構成され、
前記第Ｒ１サブレンズ群は、正レンズＬ１ｐと負レンズＬ１ｎとを含み、前記正レンズＬ１ｐの部分分散比およびアッべ数をそれぞれθＲ１ｐおよびνＲ１ｐとし、前記負レンズＬ１ｎの部分分散比およびアッべ数をそれぞれθＲ１ｎおよびνＲ１ｎとして、
２．５５×１０−３＜（θＲ１ｐ−θＲ１ｎ）
／（νＲ１ｎ−νＲ１ｐ）＜５．１×１０−３
なる条件式を満足し、
前記第Ｒ２サブレンズ群は、正レンズＬ２ｐを含み、前記第Ｒレンズ群の焦点距離をｆＲとし、前記正レンズＬ２ｐの部分分散比およびアッべ数をそれぞれθＲ２ｐおよびνＲ２ｐとして、
０．６２１＜θＲ２ｐ＜０．７１１
０．６＜ｆＲ２ｐ／ｆＲ＜１．９
なる条件式を満足し、
前記第Ｒレンズ群に含まれる正レンズの部分分散比の平均値およびアッべ数の平均値をそれぞれθａｐおよびνａｐとし、前記第Ｒレンズ群に含まれる負レンズの部分分散比の平均値およびアッべ数の平均値をそれぞれθａｎおよびνａｎとして、
｜（θａｐ−θａｎ）／（νａｎ−νａｐ）｜＜１．９０×１０−３
なる条件式を満足する、
ことを特徴とするズームレンズ。
ただし、部分分散比θおよびアッベ数νは、フラウンフォーファ線のｇ線（４３５．８ｎｍ）、Ｆ線（４８６．１ｎｍ）、ｄ線（５８７．６ｎｍ）、およびＣ線（６５６．３ｎｍ）に対する屈折率をそれぞれＮｇ、ＮＦ、Ｎｄ、およびＮＣとして、
ν＝（Ｎｄ−１）／（ＮＦ−ＮＣ）
θ＝（Ｎｇ−ＮＦ）／（ＮＦ−ＮＣ）
なる式で表されるものとする。
【請求項３】
前記ズームレンズは、物体側から像側へ順に、前記第１レンズ群と、前記第２レンズ群と、前記第３レンズ群と、前記第Ｒレンズ群とからなることを特徴とする請求項１または請求項２に記載のズームレンズ。
【請求項４】
前記ズームレンズは、物体側から像側へ順に、前記第１レンズ群と、前記第２レンズ群と、前記第３レンズ群と、変倍のために移動する正の屈折力の第４レンズ群と、前記第Ｒレンズ群とからなることを特徴とする請求項１または請求項２に記載のズームレンズ。
【請求項５】
前記負レンズＬ１ｎの焦点距離をｆＲ１ｎとして、
−１．５＜ｆＲ１ｎ／ｆＲ＜−０．５
なる条件式を満足することを特徴とする請求項１ないし請求項４のうちいずれか１項に記載のズームレンズ。
【請求項６】
前記第２レンズ群に含まれる正レンズの部分分散比の平均値およびアッべ数の平均値をそれぞれθ２ｐおよびν２ｐとし、前記第２レンズ群に含まれる負レンズの部分分散比の平均値およびアッべ数の平均値をそれぞれθ２ｎおよびν２ｎとして、
１．８×１０−３＜（θ２ｐ−θ２ｎ）／（ν２ｎ−ν２ｐ）＜５．５×１０−３
なる条件式を満足することを特徴とする請求項１ないし請求項５のうちいずれか１項に記載のズームレンズ。
【請求項７】
前記第Ｒレンズ群と、該第Ｒレンズ群に隣接するレンズ群との間に絞りを有し、
前記絞りから前記正レンズＬ２ｐの物体側における面の頂点までの光軸上の距離をＤＲ２ｐとし、前記第Ｒレンズ群の光軸上の長さをＤＲとして、
０．８５＜ＤＲ２ｐ／ＤＲ＜０．９９
なる条件式を満足することを特徴とする請求項１ないし請求項６のうちいずれか１項に記載のズームレンズ。
【請求項８】
前記第Ｒレンズ群と、該第Ｒレンズ群に隣接するレンズ群との間に絞りを有し、
前記絞りから前記負レンズＬ１ｎの物体側における面の頂点までの光軸上の距離をＤＲ１ｎとし、前記第Ｒレンズ群の光軸上の長さをＤＲとして、
｜ＤＲ１ｎ／ＤＲ｜＜０．３５
なる条件式を満足することを特徴とする請求項１ないし請求項７のうちいずれか１項に記載のズームレンズ。
【請求項９】
前記第Ｒ２サブレンズ群は、負レンズＬ２ｎを含み、
前記絞りから前記負レンズＬ２ｎの物体側における面の頂点までの光軸上の距離をＤＲ２ｎとして、
０．７５＜ＤＲ２ｎ／ＤＲ＜０．９８
なる条件式を満足することを特徴とする請求項７または請求項８に記載のズームレンズ。
【請求項１０】
前記第Ｒ２サブレンズ群は、負レンズＬ２ｎを含み、該負レンズＬ２ｎの屈折率および部分分散比をそれぞれＮＲ２ｎおよびθＲ２ｎとして、
１.８５＜ＮＲ２ｎ＜２．２０
０．５６０＜θＲ２ｎ＜０．６１４
なる条件式を満足することを特徴とする請求項１ないし請求項９のうちいずれか１項に記載のズームレンズ。
【請求項１１】
請求項１ないし請求項１０のうちいずれか１項に記載のズームレンズと、
前記ズームレンズによって形成された像を受ける撮像素子と、
を有することを特徴とする撮像装置。
【手続補正２】
【補正対象書類名】明細書
【補正対象項目名】発明の名称
【補正方法】変更
【補正の内容】
【発明の名称】ズームレンズおよび撮像装置
【手続補正３】
【補正対象書類名】明細書
【補正対象項目名】０００１
【補正方法】変更
【補正の内容】
【０００１】
本発明は、ズームレンズおよび撮像装置に関するものである。
【手続補正４】
【補正対象書類名】明細書
【補正対象項目名】０００６
【補正方法】変更
【補正の内容】
【０００６】
前述した特許文献には、部分分散比の高い光学材料からなるレンズを採用して、特に色収差を良好に補正して高い光学性能を実現したズームレンズが記載されている。広角端画角が広く、高いズーム倍率を有するズームレンズにおいて良好な撮像性能を維持するには、基準波長での収差に加え色収差のズーム変動を良好に補正することが重要である。特に、広角端における倍率色収差および望遠端における軸上色収差を良好に補正することが重要である。
【手続補正５】
【補正対象書類名】明細書
【補正対象項目名】０００９
【補正方法】変更
【補正の内容】
【０００９】
本発明は、例えば、広画角、高ズーム比、広角端での倍率色収差の補正、およびズーム全域での軸上色収差の補正の点で有利なズームレンズを提供することを目的とする。
【手続補正６】
【補正対象書類名】明細書
【補正対象項目名】００１０
【補正方法】変更
【補正の内容】
【００１０】
上記目的を達成するために、本発明のズームレンズは、物体側から像側へ順に、変倍のためには移動しない正の屈折力の第１レンズ群と、変倍のために移動する負の屈折力の第２レンズ群と、変倍のために移動する正の屈折力の第３レンズ群と、最も像側に配されて変倍のためには移動しない正の屈折力の第Ｒレンズ群とを有し、隣り合うレンズ群の組のいずれも変倍のために間隔が変化するズームレンズであって、前記第Ｒレンズ群中の物体側から第ｉ番目のレンズにおける近軸追跡上の軸上光束高さをｈｉとし、瞳近軸光束高さをｈｂｉとして、前記第Ｒレンズ群は、
ｈｂｉ／ｈｉ＜０．１５
なる条件式を満足する面を含む第Ｒ１サブレンズ群と、それ以外の第Ｒ２サブレンズ群とから構成され、前記第Ｒ１サブレンズ群は、正レンズＬ１ｐと負レンズＬ１ｎとを含み、前記正レンズＬ１ｐの部分分散比とアッべ数をそれぞれθＲ１ｐ及びνＲ１ｐ、前記負レンズＬ１ｎの部分分散比およびアッべ数をそれぞれθＲ１ｎおよびνＲ１ｎとして、
０．７５×１０−３＜（θＲ１ｐ−θＲ１ｎ）
／（νＲ１ｎ−νＲ１ｐ）＜２．６０×１０−３
なる条件式を満足し、
前記第Ｒ２サブレンズ群は、正レンズＬ２ｐを含み、前記第Ｒレンズ群の焦点距離をｆＲとし、前記正レンズＬ２ｐの部分分散比およびアッべ数をそれぞれθＲ２ｐおよびνＲ２ｐとして、
０．６２１＜θＲ２ｐ＜０．７１１
０．７＜ｆＲ２ｐ／ｆＲ＜２．１
なる条件式を満足し、
前記第Ｒレンズ群に含まれる正レンズの部分分散比の平均値およびアッべ数の平均値をそれぞれθａｐおよびνａｐとし、前記第Ｒレンズ群に含まれる負レンズの部分分散比の平均値およびアッべ数の平均値をそれぞれθａｎおよびνａｎとして、
｜（θａｐ−θａｎ）／（νａｎ−νａｐ）｜＜１．９０×１０−３
なる条件式を満足することを特徴とする。
【手続補正７】
【補正対象書類名】明細書
【補正対象項目名】００１１
【補正方法】変更
【補正の内容】
【００１１】
また、本発明に係る別の態様のズームレンズは、物体側から像側へ順に、変倍のためには移動しない正の屈折力の第１レンズ群と、変倍のために移動する負の屈折力の第２レンズ群と、変倍のために移動する負の屈折力の第３レンズ群と、最も像側に配されて変倍のためには移動しない正の屈折力の第Ｒレンズ群とを有し、隣り合うレンズ群の組のいずれも変倍のために間隔が変化するズームレンズであって、前記第Ｒレンズ群中の物体側から第ｉ番目のレンズにおける近軸追跡上の軸上光束高さをｈｉとし、瞳近軸光束高さをｈｂｉとして、前記第Ｒレンズ群は、
ｈｂｉ／ｈｉ＜０．１５
なる条件式を満足する面を含む第Ｒ１サブレンズ群と、それ以外の第Ｒ２サブレンズ群とから構成され、前記第Ｒ１サブレンズ群は、正レンズＬ１ｐと負レンズＬ１ｎとを含み、前記正レンズＬ１ｐの部分分散比およびアッべ数をそれぞれθＲ１ｐおよびνＲ１ｐとし、前記負レンズＬ１ｎの部分分散比およびアッべ数をそれぞれθＲ１ｎおよびνＲ１ｎとして、
２．５５×１０−３＜（θＲ１ｐ−θＲ１ｎ）
／（νＲ１ｎ−νＲ１ｐ）＜５．１×１０−３
なる条件式を満たし、前記第Ｒ２サブレンズ群は、正レンズＬ２ｐを含み、前記第Ｒレンズ群の焦点距離をｆＲとし、前記正レンズＬ２ｐの部分分散比およびアッべ数をそれぞれθＲ２ｐおよびνＲ２ｐとして、
０．６２１＜θＲ２ｐ＜０．７１１
０．６＜ｆＲ２ｐ／ｆＲ＜１．９
なる条件式を満足し、前記第Ｒレンズ群に含まれる正レンズの部分分散比の平均値およびアッべ数の平均値をそれぞれθａｐおよびνａｐとし、前記第Ｒレンズ群に含まれる負レンズの部分分散比の平均値およびアッべ数の平均値をそれぞれθａｎおよびνａｎとして、
｜（θａｐ−θａｎ）／（νａｎ−νａｐ）｜＜１．９×１０−３
なる条件式を満足する、ことを特徴とする。
ただし、部分分散比θおよびアッベ数νは、フラウンフォーファ線のｇ線（４３５．８ｎｍ）、Ｆ線（４８６．１ｎｍ）、ｄ線（５８７．６ｎｍ）、およびＣ線（６５６．３ｎｍ）に対する屈折率をそれぞれＮｇ、ＮＦ、Ｎｄ、およびＮＣとして、
ν＝（Ｎｄ−１）／（ＮＦ−ＮＣ）
θ＝（Ｎｇ−ＮＦ）／（ＮＦ−ＮＣ）
なる式で表されるものとする。
【手続補正８】
【補正対象書類名】明細書
【補正対象項目名】００１２
【補正方法】変更
【補正の内容】
【００１２】
本発明によれば、例えば、広画角、高ズーム比、広角端での倍率色収差の補正、およびズーム全域での軸上色収差の補正の点で有利なズームレンズを提供することができる。